(57)【要約】      （修正有）【課題】一般土工事の法面、高速道路の法面及び採石場法面において、所定の範囲で緑化を限定して効果をあげる法面緑化工法を提供する。【解決手段】あらかじめ所定のポットにヒメツルニチニチソウ３の苗を植え育苗し所定の寸法に成長したものを当該の法面１にポットから取り出して植え法面緑化を行うとともに、所定の範囲にのみ蔓を繁茂させるために範囲の境界に所定の高さの板状の反発板４を設置することにより不要な拡繁を阻止し範囲を制御する。【選択図】図１
2008000120.tif 000002
【特許請求の範囲】
【請求項１】
本発明は、災害防除工事及び高速道路等に係る安定した法面の緑化及び砕石場の最終残壁の法面の緑化でヒメツルニチニチソウを利用するもので、あらかじめ所定のポットにヒメツルニチニチソウの苗を植え育苗し所定の寸法に成長したものを当該の法面にポットから取り出して植え法面緑化を行なう、植栽により花と緑で緑化することを特徴とする、ヒメツルニチニチソウ法面緑化工法
【請求項２】
本発明は、ヒメツルニチニチソウは蔓性であるので植栽した後、蔓が延びるので所定の範囲にのみ繁茂させるために範囲の境界に所定の高さの板状の反発板を設置すると蔓の先は板を乗り越えることがなく不要な拡繁を阻止し範囲を制御することが出来る請求項１記載のヒメツルニチニチソウ法面緑化工法
【発明の詳細な説明】
【技術分野】
【０００１】  本発明は、一般土工事の法面及び高速道路の法面、採石場の跡地等の安定した法面を美観を満たしつつ緑化を計る工法に関する。【０００２】  本発明は、所定の範囲で緑化を限定して効果をあげる法面緑化工法に関する。
【背景技術】
【０００３】  従来の法面緑化においては緑化のみが重点になっており、公報テキスト公開特許公報、法面緑化吹付け工及び公報テキスト公開特許公報法面緑化植栽等に係る工法。【０００４】  従来の法面緑化で吹き付けによるものは経済的には低価で施工できるものもあるが数年経過すると当該の植物が序序に退化傾向になるものがある。【０００５】  従来の法面緑化工法では、高度で確実性は高いが基盤材資材、施工過程において経費が嵩み資金の流れは企業に流れ労働者に流れる資金は僅少になり社会性に乏しい特開２００５−０２３７２２、  特開２００５−３２５６６１。【０００６】  法面緑化で自生出来た種子等が飛散し又は根が流出して必要としない場所に生えことに関する。
【発明の開示】
【発明が解決しようとする課題】
【０００７】  緑化と言っても、荒涼たる原野のように仕上がったのでは快適な環境といえないので景観を鑑み常緑と花の緑化を課題とする。【０００８】  前記の０００７の課題に関しては自然の系体を維持し更に、他の植物と共生できる等の条件を備えた植物であることを課題とする。【０００９】  法面緑化の工法では構造物及び吹き付け及び植栽によるもの等多種であるが事業費の内に資材及び機械の占める割合が多くその費用は企業に流れるため、労働賃金に配分される比率が低いので人力で容易にできる工法で社会的貢献度に寄与できる工法を課題とする【００１０】  緑化した法面で自生した植物の種等が所定の範囲を超えて飛散し、求めない場所に飛び火的に広がることがあるので、緑化の範囲を限定できることを課題とする。
【課題を解決するための手段】
【００１１】  本発明のヒメツルニチニチソウという植物は、背丈は３０ｃｍほどで、元来鑑賞用であるので環境に優しく、地面を這い他の植物に巻きつくことがなく他の植物の下部の地面を這うので０００７及び０００８の課題を克服するために法面の形成開始と同時からでも頂上部より一定の間隔でポットから取り出した苗を定植する、法面形成で仕上げた小段の法肩側も同様に定植栽する、ヒメツルニチニチソウは蔓性でその蔓は平面及び傾斜を下る性格があり蔓先に新根を下ろしそこから新芽が出て繁茂することを利用する。【００１２】  ００１１の特徴にヒメツルニチニチソウは葉が濃緑で花は濃紫色、常緑草であり、寒冷地にも強く冬でもみどりを失うことなく年を経るごとの繁茂し植栽しない法面を自力で蔓を伸ばして緑化していくので０００４の背景技術を改善目的にする。【００１３】  本工法は、法面上部より仕上がった小段にただちに植栽するので高所作業も少なく何人でも作業が容易であり、工事費の内、育苗、植栽、管理が総て人力であり、事業費が労働社会に貢献する比率が高く、蔓性であるので自力で覆土する力を利用するため、当初から全面に施工する必要がなく所定の間隔に植栽することで目的が果たせるため、安全で費用を低く抑え０００９の課題を解決するものである。【００１４】  請求項２のヒメツルニチニチソウは種子での繁殖は無く、蔓性であるので所定の場所からはみだすことを想定し必要箇所に限定することの手段として地上３０ｃｍ以上の高さの板状のものを垂直に建てることによって伸びた蔓の方向を制御できるので蔓を反転させる反発板を設置して００１０の課題を解決する手段とする。
【発明の効果】
【００１５】  ヒメツルニチニチソウは地質を選ばない素性で多年草であり、一般的法面及び砕石場法面において当該種だけでは一揆に全面緑化はできないが年々その効果があがり０００１の分野を満たし春から初夏にかけて雑草と共生しながら濃紫色の花が咲きみどりの中の模様を添えた。【００１６】  資材、機械等を使用しなくて、人力が主であるがヒメツルニチニチソウの素性を活かして全法面を施工する必要がないので経費が低く、安全な労働の就労範囲が広がり００１３の手段により０００９の課題が解決される。【００１７】  請求項２の発明は００１４の手段によって００１０の課題に効果がある。
【発明を実施するための最良の形態】
【実施例】
【００１８】  本発明はヒメツルニチニチソウを露地栽培したものを、図４の２のポットに植え図４の６のハウスにて適正に育成したものを、一般土木工事の法面、残士処理場、高速道路の法面、砕石場跡地等に図１の１の法面に縦横、所定の間隔で植栽するがそのために図３の７の植える穴を掘り現場において符号の説明の２のポットから出して定植し緑化施工するので現場から出る廃材はない、図４の２のポットは現場で植栽の時まで苗を取り出さずにおく、輸送、現場の移動等が容易になるためと更に苗が弱らないためである、現場で図１のように定植する場合は天井部から始め小段へ、小段が無い場合でも図２のように水平に植栽することを原則とする理由は管理が適切に出来ること亦所定内の場所に繁茂させる必要がある時は反発板、図３の４の滑らかな金属、プラスチック、木材の板等何れかを垂直にたて、これを支えるため図３の５のように杭又は鉄筋を打ち込み、板を５に固定する。
【図面の簡単な説明】
【００２１】
【図１】施工後を示した法面緑化の断面図である。
【図２】所定の間隔で植栽の説明を示した法面緑化の正面図である。
【図３】定植と反発版の説明図である。
【図４】育苗場のハウスと育苗ポットの断面図である。
【符号の説明】
【００２２】１  法面の地肌である。
２  植栽する育苗ポットである。
３  本発明に使用のヒメツルニチニチソウである。
４  反発板である。
５  反発板を支える杭である。
６  育苗場のハウスである。
７  苗の定植穴のである。
【図１】
2008000120.tif 000003
【図２】
2008000120.tif 000004
【図３】
2008000120.tif 000005
【図４】
2008000120.tif 000006